(57)【要約】  紙幣収納容量およびセキュリティを確保しつつ、小型化に適したＡＴＭを提供する。  装置筺体内に第一のユニットと第二のユニットとが横方向に並んで配置され、第一のユニットと第二のユニットとを装置筺体から手前に引き出すことが可能な自動取引装置であって、第一のユニットが搭載され、レールによって前後方向に移動可能な第一のベースと、第二のユニットが搭載され、第一のベースに接続された第二のベースと、を有し、第一のユニットと第二のユニットとが一体として引き出せるように構成した。第一のユニットは、その内部の状態を検知する状態検知部と、装置筺体からの引き出しを阻止するロック機構と、状態検知部からの状態検知信号に基づいて、ロック機構の動作を制御する制御部と、を有する。
2017094338.tif 000002
【特許請求の範囲】
【請求項１】
装置筺体内に第一のユニットと第二のユニットとが横方向に並んで配置され、前記第一のユニットと前記第二のユニットとを前記装置筺体から手前に引き出すことが可能な自動取引装置であって、
前記第一のユニットが搭載され、レールによって前後方向に移動可能な第一のベースと、
前記第二のユニットが搭載され、前記第一のベースに接続された第二のベースと、
を有し、
前記第一のユニットと前記第二のユニットとが一体として引き出せることを特徴とする自動取引装置。
【請求項２】
請求項１に記載の自動取引装置であって、
前記第一のユニットは、その内部の状態を検知する状態検知部と、前記装置筺体からの引き出しを阻止するロック機構と、
前記状態検知部からの状態検知信号に基づいて、前記ロック機構の動作を制御する制御部と、を有することを特徴とする自動取引装置。
【請求項３】
請求項２に記載の自動取引装置であって、
前記装置筺体は上部筺体と下部筺体に分離されており、
前記第一のユニットと前記第二のユニットとは、前記上部筺体に搭載されることを特徴とする自動取引装置。
【請求項４】
請求項３に記載の自動取引装置であって、
前記第一のユニットは、紙幣の入出金を行う紙幣入出金口と、紙幣を鑑別する紙幣鑑別部と、紙幣を一時的に収納する一時収納部と、紙幣を搬送する紙幣搬送路と、を含む上部紙幣処理ユニットであり、
前記下部筺体は、紙幣を保管する紙幣収納庫と、紙幣を搬送する第二の紙幣搬送路と、を含む下部紙幣処理ユニットが搭載されることを特徴とする自動取引装置。
【請求項５】
請求項４に記載の自動取引装置であって、
前記第二のユニットは、取引等の内容を印字した明細票を発行する明細票プリンタであることを特徴とする自動取引装置。
【請求項６】
請求項４または請求項５に記載の自動取引装置であって、
前記状態検知部は、前記上部紙幣処理ユニット内の残留紙幣を検知し、
前記制御部は、前記状態検知部が残留紙幣を検知したときに、前記ロック機構がロック状態を維持するように制御することを特徴とする自動取引装置。
【請求項７】
請求項２〜６のいずれか一項に記載の自動取引装置であって、
前記装置筺体は開閉可能な扉を有し、
前記ロック機構は、通電された状態で前記制御部からの制御信号によってロック状態とその解除状態を切り替えるように動作し、
前記ロック機構は、前記扉が開いた状態で通電され、前記扉が閉じた状態では通電されないことを特徴とする自動取引装置。
【請求項８】
請求項７に記載の自動取引装置であって、
前記ロック機構は、通電されない状態でロック状態を維持することを特徴とする自動取引装置。
【請求項９】
請求項２〜８のいずれか一項に記載の自動取引装置であって、
前記ロック機構のロック状態を解除する物理鍵を挿入する鍵挿入部を有することを特徴とする自動取引装置。
【請求項１０】
請求項６〜９のいずれか一項に記載の自動取引装置であって、
前記上部紙幣処理ユニットは、再使用できない紙幣を収納する上部リジェクト庫を有し、
前記制御部は、前記上部リジェクト庫にリジェクト紙幣が収納されているときに、前記ロック機構がロック状態を維持するように制御することを特徴とする自動取引装置。
【請求項１１】
請求項１〜１０のいずれか一項に記載の自動取引装置であって、
前記自動取引装置の前面に設けた表示操作部と、
前記表示操作部の直下の左側に配置した紙幣入出金口と、
前記紙幣入出金口の直下であって、前記自動取引装置の横方向のほぼ中央部に配置したＰＩＮパッド部と、
前記ＰＩＮパッド部の左側に配置した非接触ＩＣ部／バーコードリーダ部と、
前記ＰＩＮパッド部の左側に配置した明細票発行口と、
前記明細票発行口の直下に配置したカード挿入口と、
を有することを特徴とする自動取引装置。
【発明の詳細な説明】
【技術分野】
【０００１】
本発明は銀行等の金融機関や街中の一般店舗等に設置され、利用者が入金や出金、振込等の金融取引を行う自動取引装置に関する。
【背景技術】
【０００２】
自動取引装置（Automated Teller Machine；以下ＡＴＭ）は、複数の処理ユニットにて構成されており、その装置筺体には、利用者に対して取引のための情報を表示したり利用者が取引操作するタッチパネルである表示操作部、利用者が暗証番号等を入力するキーパッド部、カードや明細票の挿入取出口等が配置される。【０００３】
また、ＡＴＭの装置筺体の内部には、紙幣の入出金を行う紙幣処理部、取引の明細票を発行する明細票プリンタ、利用者が挿入するカードのデータを読み取ったり、そのカードにデータを書き込むカードリーダ、上位装置と通信しＡＴＭ全体の制御を行う制御部等が配置される。紙幣が搬送途中で詰まったり（紙幣ジャム）、明細票プリンタの用紙がなくなったとき等は、係員が装置筺体を開け、内部の紙幣処理部等を引き出してジャム紙幣の取り出しを行ったり、用紙の補充を行ったりする。【０００４】
従来、この種の装置としては、特開２０１３−２４２６２８号公報（特許文献１）、あるいは、特開２００２−２６００５７号公報（特許文献２）に記載のものがあった。
【先行技術文献】
【特許文献】
【０００５】
【特許文献１】特開２０１３−２４２６２８号公報
【特許文献２】特開２００２−２６００５７号公報
【発明の概要】
【発明が解決しようとする課題】
【０００６】
近年、ＡＴＭは利用者の利便性向上のため、コンビニエンスストアをはじめとする各種店舗等、様々な場所に設置されるようになってきている。設置場所によっては、従来サイズのＡＴＭを設置するのに充分なスペースを確保できない場合もあり、銀行に設置するＡＴＭに比べて機能や紙幣収納容量を削減した小型のＡＴＭも開発されている。【０００７】
しかしながら、設置地域によっては、取引の大部分が出金取引で占められる場合もあり、そのような場合、紙幣収納容量を削減した従来の小型タイプのＡＴＭでは、紙幣補充の頻度を高くする必要があり、保守コストの増大を招くこととなっていた。このため、ＡＴＭに対しては、紙幣収納容量を確保した上で装置全体サイズを小型化するというニーズが従来よりもさらに高まっている。【０００８】
特開２０１３−２４２６２８号公報（特許文献１）に記載の構成では、紙幣取扱装置１００の上部空間に通帳取扱機構２０４やカード取扱機構２０５、明細票発行機構２０６を配置しているため、紙幣取扱装置１００の高さを低く構成しても、現金自動取引装置２００としての高さを低くするのには適していない。【０００９】
また、特開２００２−２６００５７号公報（特許文献２）に記載の構成では、紙幣入出金機１の横側に顧客操作部１０５やカード・明細票処理機構１０２を配置しているため、現金自動取引装置１０１としての高さを低減するのには有利であるが、横方向の寸法を小さくするのに適している構成とはいえない。【００１０】
さらに、ＡＴＭへの現金補充等の重要な保守作業は、セキュリティ等の関係上、従来、警備会社や専門の保守会社・係員等が実施していたが、取引明細票の用紙補充等の比較的簡単な保守作業に関しては、その場にいる別の係員等が実施した方が効率的な場合もある。しかし、そのような別の係員が自由にＡＴＭの内部にアクセスすることを許容すると、ＡＴＭの動作状況によっては内部に存在している現金にもアクセスすることができてしまい、セキュリティ上、好ましくない。【００１１】
本願発明は、紙幣収納容量およびセキュリティを確保しつつ、小型化に適したＡＴＭの構成を提供するものである。
【課題を解決するための手段】
【００１２】
装置筺体内に第一のユニットと第二のユニットとが横方向に並んで配置され、第一のユニットと第二のユニットとを装置筺体から手前に引き出すことが可能な自動取引装置であって、第一のユニットが搭載され、レールによって前後方向に移動可能な第一のベースと、第二のユニットが搭載され、第一のベースに接続された第二のベースと、を有し、第一のユニットと第二のユニットとが一体として引き出せるように構成した。ここで、第一のユニットは、その内部の状態を検知する状態検知部と、装置筺体からの引き出しを阻止するロック機構と、状態検知部からの状態検知信号に基づいて、ロック機構の動作を制御する制御部と、を有するようにした。
【発明の効果】
【００１３】
上記の構成により、紙幣収納容量およびセキュリティを確保しつつ、小型化に適したＡＴＭを構成することが可能となる。
【図面の簡単な説明】
【００１４】
【図１（Ａ）】ＡＴＭの外観構成図である。
【図１（Ｂ）】ＡＴＭの外観構成図である。
【図２】ＡＴＭの側面透視図である。
【図３】ＡＴＭの上面部を開いた状態の図である。
【図４】ＡＴＭの下部扉を開いた状態の図である。
【図５】ＡＴＭの上部のユニットの内部配置図である。
【図６】ＡＴＭの内部ユニットを引き出した状態の図である。
【図７（Ａ）】引き出しロック機構を説明する図である。
【図７（Ｂ）】引き出しロック機構を説明する図である。
【図８】紙幣処理部の前面部の図である。
【図９】電磁ロック機構の制御を説明する図である。
【図１０】電磁ロック機構の制御フロー図である。
【図１１】ＡＴＭの電磁ロックに係る部分の制御ブロック図である。
【図１２】ＡＴＭの表示画面の一例である。
【発明を実施するための形態】
【００１５】
以下、図面を用いて本発明のＡＴＭの構成を詳細に説明する。
【００１６】
図１は本発明のＡＴＭ１００の外観構成図であり、図１（Ａ）は正面図、図１（Ｂ）は側面図である。１０１は利用者が取引操作を行ったり、係員が保守操作を行うための情報を表示したり、操作入力を行うタッチパネル等で構成されう表示操作部である。
【００１７】
１０２は紙幣の投入や取り出しを行う紙幣入出金口、１０３は非接触ＩＣカードとの通信を行う非接触ＩＣ処理部や、バーコードデータの読取を行うバーコードリーダ等からなる非接触ＩＣ部／バーコードリーダ部、１０４は利用者が取引時に暗証番号を入力するための複数の数字キーからなるＰＩＮパッド（PIN：Personal Identification Number）、１０５は取引内容等が印字された明細票（レシート）を出力する明細票発行口、１０６はキャッシュカード等を挿入するためのカード挿入口である。
【００１８】
図１から明らかなように、ＡＴＭ１００の上部に配置した表示操作部１０１の直下の左側に紙幣入出金口１０２を配置し、紙幣入出金口１０２の直下のＡＴＭ１００の横方向ほぼ中央部にＰＩＮパッド１０４を配置している。また、表示操作部１０１の直下の左側に非接触ＩＣ部／バーコードリーダ部１０３を配置し、表示操作部１０１の直下の右側に明細票発行口１０５を配置し、明細票発行口１０５の直下にカード挿入口１０６を配置した。
【００１９】
すなわち、表示操作部１０１の直下に紙幣入出金口１０２と明細票発行口１０５とをほぼ同一の高さとなるように横方向に並べて配置し、さらにその直下の横方向のほぼ中央部にＰＩＮパッド１０４を配置し、その両側のほぼ同一の高さの位置に非接触ＩＣ部／バーコードリーダ部１０３とカード挿入口１０６を配置した。このように各処理部をＡＴＭ１００の上部の中央に寄せるように配置して、小型化を実現している。
【００２０】
ＡＴＭ１００は、紙幣の入出金処理を行う紙幣処理部を有しており、図２のＡＴＭ左側面透過図に示すように、紙幣処理部２００は上部ユニット２００Ａと下部ユニット２００Ｂとから構成されている。上部ユニット２００Ａは、主に、利用者が紙幣を投入したり取り出すための入出金口や、紙幣の金種や真偽を判定する紙幣鑑別部、紙幣を一時的に保持する一時保管部、紙幣処理部の動作を制御する制御部などを有している（以上、図示省略）。
【００２１】
また、下部ユニット２００Ｂは、紙幣を金種別に保管する入出金両方の機能を有する複数の紙幣カセット２０２を格納するための頑丈な金庫部２０１を有しており、この金庫部２０１は、さらに別途の鍵によってそれを開閉するようにしており、セキュリティを高めている。
【００２２】
ここで、紙幣カセット２０２は、紙幣を立てた状態で保持する横型カセットを採用しており、紙幣を鉛直方向に重ねた状態で保持する縦型カセットと比較して、同一の紙幣収納容量の装置で比較した場合、装置の奥行き方向の寸法を小さくするのに有利である。なお、紙幣カセット２０２は、上述のリサイクル紙幣用の金種別カセットの他、汚れや破れ等によって利用者に再度払い出すのに適していないと鑑別されたリジェクト紙幣を収納するリジェクト庫、入金専用庫、出金専用庫、あるいは金種別カセットに紙幣を装填したり回収を行う装填回収庫が含まれていてもよい。
【００２３】
ＡＴＭ１００は装置筺体の上部と下部とが別々に開閉することができ、係員は保守等の際に、上部と下部とを別々に開閉して内部の各ユニット等へアクセスすることができる。図３に示すように、筺体上部は図示しない上部用ロック機構等を解除した後、上面部３０１を下から上へ跳ね上げるように持ち上げて上方に開くことができる。
【００２４】
筺体下部は図４に示すように、ドアキー１０７を解除することによって、前扉４０１を横方向に開くことができる。筺体下部ユニットは筺体内にさらに前述の金庫部２０１を内蔵し、紙幣カセットをその金庫内に配置しており、金庫部２０１内にアクセスするには、さらに金庫扉キー１０８を解除し、金庫扉４０２を開くことを必要とすることによってセキュリティを高めている。なお、上部用ロック機構等を設けずに、閉じた状態の上面部３０１の下端を前扉４０１を閉じることで押さえるようにしてもよい。この場合、下部扉４０１を開いた状態でないと、上面部３０１を上方に持ち上げて開くことができないが、上部専用のロック機構や開閉センサ等が不要となるため、より簡易で安価な構成とすることができる。
【００２５】
図５は筺体上部のドアを開いた状態での正面図である。紙幣処理部上部ユニット２００Ａはベース部材５１１に搭載されており、ベース部材５１１はその側面部が前後方向に移動可能な移動用レール５１０に接続されており、紙幣処理部上部ユニット２００Ａはベース部材５１１に搭載された状態で前後に移動して手前側に引き出すことができる。
【００２６】
また、紙幣処理部上部ユニット２００Ａの向かって右側には、ベース部材５１２に搭載された明細票（レシート）プリンタ５０１が配置されており、ベース部材５１２はベース部材５１１および移動用レール５１０と一体となるように、ボルト／ネジ等５２０で接続固定されている。すなわち、ベース部材５１２は、その紙幣処理部上部ユニット２００Ａ側の一部分がベース部材５１１及び移動用レール５１０と接続固定されている。
【００２７】
したがって、紙幣処理部上部ユニット２００Ａとレシートプリンタ５０１とは、図６に示すように、両者は一体となって手前側に引き出すことができる。
【００２８】
このとき、紙幣処理部上部ユニット２００Ａは移動用レール５１０に載って手前側に引き出されるが、レシートプリンタ５０１は紙幣処理部上部ユニットのベース部５１１と一体となるよう固定されたレシートプリンタベース５１２上に実装されているのみであって、別のレール等に載っている訳ではない。すなわち、レシートプリンタ５０１を独立して引き出そうとすると、レシートプリンタ５０１を筺体内で搭載して移動するための別のレール等が更に必要となり、装置全体の横幅が増えることとなり、好ましくない。
【００２９】
このように、紙幣処理部上部ユニット２００Ａとレシートプリンタ５０１とが近づくように固定し、筺体内に設置した移動用レールに紙幣処理部上部ユニット２００Ａ部のみを搭載し、紙幣処理部上部ユニット２００Ａとレシートプリンタ５０１とを一体として引き出すように構成した。これによって、両者を鉛直方向に配置した場合と比較して高さ方向の寸法を抑えることが可能となり、また、両者を個別に引き出すようにした場合と比較して横方向の寸法も抑えることが可能となり、装置全体の小型化を実現することができた。  
【００３０】
なお、上記構成において、カード挿入口１０６から挿入されたキャッシュカードのデータを読み取るカードリーダ装置は、筺体上面部３０１に装着されているため、図５には図示されていないが、レシートプリンタ５０１と同様に、別途のベース部等に搭載して紙幣処理部上部ユニット２００Ａと一体として引き出せるようにしてもよい。
【００３１】
また、上記構成ではベース部材５１１とベース部材５１２とが別体であって両者をボルト／ネジ等５２０で移動用レール５１０に接続固定しているが、ベース部材５１１とベース部材５１２とが一体成型されたものでもよいし、ベース部材５１１とベース部材５１２と移動用レール５１０とが一体成型されたものでもよい。
【実施例１】
【００３２】
紙幣処理部は現金を直接扱うユニットであるため、それ自体にもセキュリティを維持するための機構が必要である。例えば、紙幣を収納する紙幣カセット２０２は、前述のように鍵付きの強固な金庫部２０１に収納することにより、外部からは容易にアクセスすることはできないようになっている。しかも、この金庫の鍵は、全ての係員によって解除できる訳ではなく、係員の中でも一部の特定の権限を与えられた者だけが金庫鍵またはパスワード入力等により、解除して内部の紙幣カセットや現金にアクセスすることが許される。  【００３３】
ところが、本発明のＡＴＭは、紙幣処理部上部ユニット２００Ａとレシートプリンタ５０１とを一体として引き出すように構成したため、例えば、以下に説明するようなセキュリティ上の問題が発生することがある。【００３４】
レシートプリンタは装填されたロール紙に取引明細等を印字して発行するが、ロール紙が用紙切れとなった場合は、新しいロール紙を係員が補充することとなる。ここで、ロール紙の補充は比較的簡単な作業であり、必ずしもＡＴＭ内部の現金にアクセスすることが許容された係員が行うとは限らない。【００３５】
一方、紙幣処理部上部ユニット２００Ａは、通常、取引動作時以外は、紙幣が内部に滞留することはないが、内部のどこかで紙幣詰まり（ジャム）等が発生すると、取引動作時以外も上部ユニット２００Ａ内に残留紙幣（ジャム紙幣）が存在することとなる。また、紙幣処理部上部ユニット２００Ａは、そのような残留紙幣を取り除くために所定の部位を開いて内部へアクセスすることができる構造となっている。【００３６】
本ＡＴＭは紙幣処理部上部ユニット２００Ａとレシートプリンタ５０１とが一体化しており両者が同時に引き出される構造のため、紙幣処理部上部ユニット２００Ａにジャム紙幣等の残留紙幣が存在する場合、レシートプリンタ５０１のロール紙を補充しようとする係員が、そのジャム紙幣にもアクセスすることが可能となり、その係員がＡＴＭ内部の現金にアクセスすることが許容された係員でない場合、セキュリティ上、好ましくない。【００３７】
そこで本ＡＴＭでは、紙幣処理部上部ユニット２００Ａとレシートプリンタ５０１の引き出しを、その状況に応じて制限する機構を設けることとした。【００３８】
紙幣処理部上部ユニット２００ＡはＡＴＭ筺体上部に収納されており、係員が保守作業等をする際には、筺体上部パネルを上方に開いた後、紙幣処理部上部ユニット２００Ａを手前側に引き出すことによって、各種保守作業が可能となる。ここで、図７に示すように、上部ユニット２００Ａには、筺体からの引き出しを阻止する電磁ロック機構７０１が設置されている。【００３９】
図７（Ａ）に示すように、電磁ロック機構７０１は、ロック状態ではロックバー７０１Ａが下りた状態となっており、筺体のロックバー当接部７０２にロックバー７０１Ａが当接しているため、上部ユニット２００Ａは図面の右側（装置前面）に引き出すことができず、ロックが働いている状態となっている。【００４０】
ロックが解除されている状態では、図７（Ｂ）に示すようにロックバー７０１Ａが上方に持ち上がり、ロックバー７０１Ａは当接部７０２に当たることなく上部ユニット２００Ａの引き出しが可能となる。なお、この電磁ロック機構７０１は、停電等によって電力が供給されない状況では、図７（Ａ）のようなロック状態を維持する。【００４１】
電磁ロック機構７０１は、ＡＴＭ装置に通電されている状態では、ＡＴＭ装置の制御部からの指令に基づいてロック状態とロック解除状態とを切り替える。図８は上部紙幣ユニット２００Ａの前面図であり、電磁ロック機構７０１のロック状態を解除するための、物理的な鍵を挿入できるロック解除鍵部８０１と引出レバー８０２を有している。【００４２】
電磁ロック機構７０１がロック解除状態のときは、係員等によって引出レバー８０２を押しこむとロックバー７０１Ａが持ち上がり上部紙幣ユニット２００Ａを引き出すことができるが、電磁ロック機構７０１によってロック状態となっている場合は、引出レバー８０２を押し込むことができず、上部紙幣ユニット２００Ａを引き出すことはできない。この場合は、ロック解除鍵部８０１へ専用の鍵を挿入して操作（回す等）することによってロック状態を解除させ、引出レバー８０２が押し込めるようになり、上部紙幣ユニット２００Ａを引き出すことができる。【００４３】
なお、停電等によってＡＴＭ装置に通電されていない状態では、前述のように電磁ロック機構７０１はロック状態を維持しており、引出レバー８０２を押し込めない状態となっているが、この場合も、ロック解除鍵をロック解除鍵部８０１へ挿入して操作することによってロック状態を解除することができる。【００４４】
次に、電磁ロック機構７０１によるロック状態とロック解除状態とを切り替える基準を説明する。電磁ロック機構７０１は、上部紙幣ユニット２００Ａ内に紙幣残留が存在するか否かによって、ロック状態とするか、あるいは、ロック解除状態とするかを切り替える。すなわち、上部紙幣ユニット２００Ａ内には、紙幣搬送路や各処理部の所定の箇所に図示しない残留紙幣検知センサを有しており、それらの残留紙幣検知センサのいずれかが「紙幣有り」を検知した場合、残留紙幣有と判定する。【００４５】
そして、残留紙幣有と判定された場合は電磁ロック機構７０１はロック状態となり、残留紙幣無しと判定された場合は電磁ロック機構７０１はロック解除状態となるように制御される。なお、これらの制御は、図示しないセンサ等によってＡＴＭの上面前扉が開かれたことを検知した場合にのみ、電磁ロック機構７０１に通電して制御するようにしており、これによって、常時通電する場合に比べて、周辺の温度上昇や電力消費を抑えることが可能である。【００４６】
以上説明した、電磁ロック機構７０１のロック制御をまとめると図９のような表となる。これによって、レシートプリンタ５０１のロール紙の補充のみが許された係員は、上部紙幣ユニット２００Ａ内に残留紙幣が存在しない場合に限って、上部紙幣ユニット２００Ａ内とレシートプリンタ５０１とを一体として引き出してロール紙の補充作業を実施することができる。また、上部ユニット２００Ａの図示しないセンサ等によってジャム紙幣等の残留紙幣が検知されている場合は、電磁ロック機構７０１はロック状態を維持し、上部紙幣ユニット２００Ａ内とレシートプリンタ５０１とを引き出すことはできない。【００４７】
このとき、ＡＴＭ内部の現金にアクセスすることが許容された係員は、図８のロック解除鍵部８０１へ専用の鍵を挿入して電磁ロック機構７０１のロック状態を解除し、引出レバー８０２を押し込むことによって上部ユニット２００Ａとレシートプリンタ５０１とを一体として引き出すことが可能となり、ジャム紙幣の除去等の保守作業を行うことも可能である。【００４８】
また、停電時もロック状態が維持されているがは、ロック解除鍵部８０１へ専用の鍵を挿入して電磁ロック機構７０１のロック状態を解除し、引出レバー８０２を押し込むことによって紙幣処理部上部ユニット２００Ａとレシートプリンタ５０１とを一体として引き出すことが可能である。【００４９】
図１０は、上述した電磁ロック機構７０１の動作を説明するフロー図である。図１０のフローの説明の前に、図１１を用いてＡＴＭ装置側と紙幣処理部の制御機構の接続状態を説明する。図１１に示すように、ＡＴＭ装置側の本体制御部１１２０と紙幣処理部１１１０はバス制御線１１００によって接続され、各種制御信号等の送受信を行う。紙幣処理部１１００は入出金口１１１１、識別部１１１２、一時保留部１１１３、搬送路部１１１４、紙幣収納部１１１５、電磁ロック部１１１６等が紙幣処理部内の制御部１１１７と接続されており、制御部からの指令によって各部を制御したり、各部からの信号が制御部１１１７へ送信されたりする。また、バス制御線１１００には、さらに本体下部の前扉４０１の開閉を検知する前扉開閉検知部１１３０が接続されており、本体制御部１１２０に前扉４０１の開閉状態を通知する。なお、図１１における紙幣処理部１１１０は図２等の紙幣処理部２００と同一であるが、説明の都合上、異なる符号を付している。【００５０】
図１０は係員によってレシートプリンタ５０１のロール紙の補充を行う場合を想定した、電磁ロック機構７０１のロック制御を説明するフロー図である。レシートプリンタのロール紙を補充に来た係員は、紙幣処理部上部ユニットと一体となったレシートプリンタを引き出すために上面部３０１を開ける。前述のように、前扉４０１によって上面部３０１の開閉を固定する構造の場合は前扉４０１を開いてから上面部３０１を開けるが、上面部３０１のみを単独で開閉できる構造で上面部３０１の開閉を検知する機構があれば、前扉４０１を開く必要はない。前述のように、電磁ロック機構７０１は前扉４０１が閉じた状態では通電されておらず、その状態ではロック状態を維持している。【００５１】
前扉４０１の扉開閉状態はセンサ情報により、本体制御部１１２０内に格納されたＡＴＭソフトに通知される（ステップＳ９０１）。ここで、前扉開閉検知部１１３０から前扉４０１の開状態が通知された場合は、係員等によって保守操作がなされる可能性があることから、本体制御部１１２０は、紙幣処理部１１１０内に実装される制御部１１１７に対し、電磁ロック開コマンドを発行すると共に、電磁ロック機構７０１に通電が開始される。そして、この時点ではまだロック状態が維持されている（ステップＳ９０２）。【００５２】
電磁ロック開コマンドを受けた制御部１１１７は、紙幣処理部１１１０の中で紙幣残留の可能性がある入出金口１１１１、識別部１１１２、一時保留部１１１３、搬送路部１１１４（紙幣処理部上部ユニット２００Ａ内の搬送路）からの信号に基づき、これらの各部位のいずれにも残留紙幣がないことを確認する（ステップＳ９０３〜Ｓ９０５）。【００５３】
ここで、各部位に紙幣残留が無かった場合は、制御部１１１７より電磁ロック部１１１６のロックを解除する（ステップＳ９０６）。ここまでのフローで、電磁ロックが解除されたことにより、係員は引出レバー８０２を押し込むことによって、紙幣処理部上部ユニット２００Ａとレシートプリンタ５０１を引き出すことができ（ステップＳ９０7）、ロール紙の補充が可能になる（ステップＳ９０８）。【００５４】
これらの保守操作が終了すると、引き出した紙幣処理部上部ユニット２００Ａとレシートプリンタ５０１を筺体内の元の位置に戻し（ステップＳ９０９）、上面部３０１および前扉４０１を閉じる（ステップＳ９１０）。前扉閉情報を受け取った本体制御部１１２０は、紙幣処理部内の制御部１１１７に対し、電磁ロック閉コマンドを発行する（ステップＳ９１１）。このコマンドを受け取った制御部１１１７は電磁ロック部をロック状態に切り替える。この後、電磁ロック機構７０１への通電は停止されるが、ロック状態は維持され、電磁ロック禁止（ロック状態）となる（ステップＳ９１２）。【００５５】
上述のステップＳ９０３〜Ｓ９０５において、入出金口１１１１、識別部１１１２、一時保留部１１１３、上部の搬送路部１１１４のいずれかの部位において残留紙幣を検知した場合は、本体制御部１１２０からの電磁ロック開コマンド（ステップＳ９０２）を無視してロック状態を維持する。このとき、表示操作部１０１や図示しない保守操作専用の表示部等に、図１２に示すような異常発生により紙幣処理部上部ユニット２００Ａが引き出せないことを通知するメッセージを表示してもよい。その後、ロック状態が維持された後、前扉４０１が閉じられたことを検知すると、ロック状態を維持したまま電磁ロック機構７０１への通電が停止され、終了する。【００５６】
なお、前扉４０１が閉じられる前に、入出金口１１１１、識別部１１１２、一時保留部１１１３、上部の搬送路部１１１４の全てにおいて残留紙幣が無くなったことを検知した場合は、ステップＳ９０６へ移行して電磁ロックを解除するように制御してもよい。【００５７】
また、上部紙幣ユニット２００Ａには、リジェクト紙幣を収納する上部リジェクト庫が配置されることがある。したがって、上述した、上部紙幣ユニット２００Ａにジャム紙幣が存在する場合と同様に、上部リジェクト庫内にリジェクト紙幣が収納されている場合も、電磁ロック機構７０１によって上部ユニット２００Ａとレシートプリンタ５０１との引き出しを制限することによって、セキュリティを確保することができる。あるいは、上部リジェクト庫には、それを開閉する専用の鍵等を設けるようにしてもよい。【００５８】
以上説明した動作によって、レシートプリンタのロール紙を補充することとのみ許容された係員が、上部ユニット２００Ａ内部のジャム紙幣へアクセスしてしまうことを防止することができる。
【符号の説明】
【００５９】
１００：自動取引装置（ＡＴＭ）
２００：紙幣処理部
３０１：上面部
４０１：前扉
５０１：レシートプリンタ
７０１：電磁ロック機構
【図１（Ａ）】
2017094338.tif 000003
【図１（Ｂ）】
2017094338.tif 000004
【図２】
2017094338.tif 000005
【図３】
2017094338.tif 000006
【図４】
2017094338.tif 000007
【図５】
2017094338.tif 000008
【図６】
2017094338.tif 000009
【図７（Ａ）】
2017094338.tif 000010
【図７（Ｂ）】
2017094338.tif 000011
【図８】
2017094338.tif 000012
【図９】
2017094338.tif 000013
【図１０】
2017094338.tif 000014
【図１１】
2017094338.tif 000015
【図１２】
2017094338.tif 000016
【国際調査報告】
2017094338.tif 000017
2017094338.tif 000018